(57)【要約】【課題】  無駄なデータ再送を減少可能な移動通信システムを提供する。【解決手段】  移動端末１−１は受信データに誤りを検出した時、無線基地局２−１に対して、データを受信しているセルの識別情報を含む否定応答を送信する。無線基地局２−１は否定応答に含まれるセルの識別情報を利用してデータ再送を実施するセルを判断し、移動端末１−１が無線基地局２−１配下のセルにおいてのみデータを受信している場合に無線基地局２−１においてデータ再送を行い、無線基地局２−１をまたがる複数のセルにおいてデータを受信している場合に無線制御装置３に、データ番号とセルの識別情報とを含む否定応答を送信する。無線制御装置３は否定応答に含まれるセルの識別情報を利用してデータ再送を実施するセルを判断し、データ再送が必要なセルを管理する無線基地局２−１，２−２に対し、データ再送要求とともにデータ再送タイミングを送信する。【選択図】      図１
2006245839.tif 000002
【特許請求の範囲】
【請求項１】
移動端末が受信データに誤りを検出した時に無線基地局から当該データの再送を行う移動通信システムであって、
前記移動端末が前記誤りを検出した時に送信する否定応答に当該誤りを検出したデータを受信しているセルの識別情報を含ませることを特徴とする移動通信システム。
【請求項２】
移動端末が受信データに誤りを検出した時に当該データの再送を行う無線基地局と、前記無線基地局の制御を行う無線制御装置とを含む移動通信システムであって、
前記無線基地局は、前記移動端末が前記誤りを検出した時に送信しかつ当該データを受信しているセルの識別情報を含む否定応答の受信時に前記セルの識別情報を利用して前記データの再送を実施するセルを判断する手段と、前記無線基地局をまたがる複数のセルにおいてデータを受信している場合に前記無線制御装置に前記移動端末が前記誤りを検出したデータを特定するためのデータ番号と前記セルの識別情報とを含む否定応答を送信する手段とを有し、
前記無線制御装置は、前記否定応答に含まれるセルの識別情報を利用して前記データの再送を実施するセルを判断する手段と、前記データの再送が必要なセルを管理する無線基地局に対してデータ再送要求とともにデータ再送タイミングを送信する手段とを有することを特徴とする移動通信システム。
【請求項３】
前記無線基地局は、前記移動端末が自局配下のセルにおいてのみデータを受信している場合に自局においてデータ再送を行うことを特徴とする請求項２記載の移動通信システム。
【請求項４】
前記無線基地局は、ブロードキャスト及びマルチキャストのいずれかにて前記移動端末へのデータ配信を行うことを特徴とする請求項２または請求項３記載の移動通信システム。
【請求項５】
受信データに誤りを検出した時に無線基地局から当該データの再送が行われる移動端末であって、
前記誤りを検出した時に送信する否定応答に当該誤りを検出したデータを受信しているセルの識別情報を含ませることを特徴とする移動端末。
【請求項６】
ブロードキャスト及びマルチキャストのいずれかにて前記データの配信が行われることを特徴とする請求項５記載の移動端末。
【請求項７】
移動端末が受信データに誤りを検出した時に当該データの再送を行う無線基地局であって、
前記移動端末が前記誤りを検出した時に送信しかつ当該データを受信しているセルの識別情報を含む否定応答の受信時に前記セルの識別情報を利用して前記データの再送を実施するセルを判断する手段と、前記無線基地局をまたがる複数のセルにおいてデータを受信している場合に自局の制御を行う無線制御装置に前記移動端末が前記誤りを検出したデータを特定するためのデータ番号と前記セルの識別情報とを含む否定応答を送信する手段とを有し、
前記否定応答の送信後に前記無線制御装置から送られてくる前記データの再送が必要なセルを管理する無線基地局に対するデータ再送要求とデータ再送タイミングとに基づいて前記データの再送を行うことを特徴とする無線基地局。
【請求項８】
前記移動端末が自局配下のセルにおいてのみデータを受信している場合に自局においてデータ再送を行うことを特徴とする請求項７記載の無線基地局。
【請求項９】
ブロードキャスト及びマルチキャストのいずれかにて前記移動端末へのデータ配信を行うことを特徴とする請求項７または請求項８記載の無線基地局。
【請求項１０】
移動端末が受信データに誤りを検出した時に当該データの再送を行う無線基地局を制御する無線制御装置であって、
前記移動端末が前記無線基地局をまたがる複数のセルにおいてデータを受信している場合に前記無線基地局から送信されかつ前記移動端末が前記誤りを検出したデータを特定するためのデータ番号と前記セルの識別情報とを含む否定応答の受信時に前記否定応答に含まれるセルの識別情報を利用して前記データの再送を実施するセルを判断する手段と、前記データの再送が必要なセルを管理する無線基地局に対してデータ再送要求とともにデータ再送タイミングを送信する手段とを有することを特徴とする無線制御装置。
【請求項１１】
前記無線基地局が、ブロードキャスト及びマルチキャストのいずれかにて前記移動端末へのデータ配信を行うことを特徴とする請求項１０記載の無線制御装置。
【請求項１２】
移動端末が受信データに誤りを検出した時に無線基地局から当該データの再送を行う移動通信システムに用いる再送制御方法であって、
前記移動端末が前記誤りを検出した時に送信する否定応答に当該誤りを検出したデータを受信しているセルの識別情報を含ませることを特徴とする再送制御方法。
【請求項１３】
移動端末が受信データに誤りを検出した時に当該データの再送を行う無線基地局と、前記無線基地局の制御を行う無線制御装置とを含む移動通信システムに用いる再送制御方法であって、
前記無線基地局が、前記移動端末が前記誤りを検出した時に送信しかつ当該データを受信しているセルの識別情報を含む否定応答の受信時に前記セルの識別情報を利用して前記データの再送を実施するセルを判断する処理と、前記無線基地局をまたがる複数のセルにおいてデータを受信している場合に前記無線制御装置に前記移動端末が前記誤りを検出したデータを特定するためのデータ番号と前記セルの識別情報とを含む否定応答を送信する処理とを実行し、
前記無線制御装置が、前記否定応答に含まれるセルの識別情報を利用して前記データの再送を実施するセルを判断する処理と、前記データの再送が必要なセルを管理する無線基地局に対してデータ再送要求とともにデータ再送タイミングを送信する処理とを実行することを特徴とする再送制御方法。
【請求項１４】
前記無線基地局が、前記移動端末が自局配下のセルにおいてのみデータを受信している場合に自局においてデータ再送を行うことを特徴とする請求項１３記載の再送制御方法。
【請求項１５】
前記無線基地局が、ブロードキャスト及びマルチキャストのいずれかにて前記移動端末へのデータ配信を行うことを特徴とする請求項１３または請求項１４記載の再送制御方法。
【請求項１６】
移動端末が受信データに誤りを検出した時に当該データの再送を行う無線基地局と、前記無線基地局の制御を行う無線制御装置とを含む移動通信システムに用いる再送制御方法のプログラムであって、前記無線基地局のコンピュータに、前記移動端末が前記誤りを検出した時に送信しかつ当該データを受信しているセルの識別情報を含む否定応答の受信時に前記セルの識別情報を利用して前記データの再送を実施するセルを判断する処理と、前記無線基地局をまたがる複数のセルにおいてデータを受信している場合に前記無線制御装置に前記移動端末が前記誤りを検出したデータを特定するためのデータ番号と前記セルの識別情報とを含む否定応答を送信する処理とを実行させ、前記否定応答の送信後に前記無線制御装置から送られてくる前記データの再送が必要なセルを管理する無線基地局に対するデータ再送要求とデータ再送タイミングとに基づいて前記データの再送を行わせるためのプログラム。
【発明の詳細な説明】
【技術分野】
【０００１】
本発明は移動通信システム、移動端末、無線基地局、無線制御装置及びそれに用いる再送制御方法並びにそのプログラムに関し、特にセルラ移動通信システムにおいて放送チャネル（ブロードキャスト及びマルチキャスト通信）を使用する場合の再送制御方法に関する。
【背景技術】
【０００２】
移動通信システムの一つであるセルラ移動通信システムにおいては、同一サービスを受信する移動端末数が多い場合、無線ネットワークにおいて共通チャネルを使用したデータ送信を行うことで、無線資源を有効に利用することができる（例えば、特許文献１参照）。
【０００３】
しかしながら、共通チャネルを使用したブロードキャストやマルチキャストによるサービス提供を行う場合、個別の移動端末に対して制御を行うことは困難であるため、受信データ品質の劣化が懸念されている。とりわけ、セル端に存在する移動端末では、データ伝送途中で発生する干渉や電力低下等の理由から受信データ品質の劣化が生じることが予想される。
【０００４】
そこで、無線ネットワークでは、複数のセルをグループ化し、そのセルグループにおいて同時に同一データを送信し、セル端に存在する移動端末が隣接するセルで送信される同一データを受信し、データ処理を行うことで受信データ品質の劣化を防ぐＳｅｌｅｃｔｉｖｅ  ｃｏｍｂｉｎｇやＳｏｆｔ  ｃｏｍｂｉｎｉｎｇが考案されている。
【０００５】
しかしながら、上述したように、共通チャネルを使用する場合には、個別に移動端末に対する制御を行うことが難しいため、個別チャネルを使用した通信と比較し、各移動端末で受信するデータ品質が劣化することが避けられない。このため、Ｓｅｌｅｃｔｉｖｅ  ｃｏｍｂｉｎｇ  やＳｏｆｔ  ｃｏｍｂｉｎｉｎｇを使用して複数の移動端末に対してデータ送信を行う場合にも、様々な誤り訂正方法を実施する必要がある。
【０００６】
【特許文献１】特開２００４−３２０４８１号公報
【発明の開示】
【発明が解決しようとする課題】
【０００７】
上述した従来のセルラ移動通信システムでは、ブロードキャストもしくはマルチキャスト伝送時に共通チャネルを使用する場合、個別に移動端末に対する制御を行うことが難しいため、個別チャネルを使用した通信と比較し、各移動端末で受信するデータ品質が劣化することが予想される。このような場合、受信データ品質の劣化を防ぐ方法が求められている。
【０００８】
そのため、無線ネットワークでは、複数のセルをグループ化し、セルグループにおいて同時に同一データを送信することで、セル端に存在する移動端末は隣接するセルで送信される同一データを受信し、データ処理を行い、受信データ品質の劣化を防ぐＳｅｌｅｃｔｉｖｅ  ｃｏｍｂｉｎｇやＳｏｆｔ  ｃｏｍｂｉｎｉｎｇが考案されているが、さらに誤り耐性を強化するための方法が必要である。この時には、ネットワーク資源の効率的利用も同時に実現する必要がある。
【０００９】
そこで、本発明の目的は上記の問題点を解消し、無駄なデータ再送を減少させることができる移動通信システム、移動端末、無線基地局、無線制御装置及びそれに用いる再送制御方法並びにそのプログラムを提供することにある。
【課題を解決するための手段】
【００１０】
本発明による移動通信システムは、移動端末が受信データに誤りを検出した時に無線基地局から当該データの再送を行う移動通信システムであって、
前記移動端末が前記誤りを検出した時に送信する否定応答に当該誤りを検出したデータを受信しているセルの識別情報を含ませている。
【００１１】
本発明による他の移動通信システムは、移動端末が受信データに誤りを検出した時に当該データの再送を行う無線基地局と、前記無線基地局の制御を行う無線制御装置とを含む移動通信システムであって、
前記無線基地局は、前記移動端末が前記誤りを検出した時に送信しかつ当該データを受信しているセルの識別情報を含む否定応答の受信時に前記セルの識別情報を利用して前記データの再送を実施するセルを判断する手段と、前記無線基地局をまたがる複数のセルにおいてデータを受信している場合に前記無線制御装置に前記移動端末が前記誤りを検出したデータを特定するためのデータ番号と前記セルの識別情報とを含む否定応答を送信する手段とを備え、
前記無線制御装置は、前記否定応答に含まれるセルの識別情報を利用して前記データの再送を実施するセルを判断する手段と、前記データの再送が必要なセルを管理する無線基地局に対してデータ再送要求とともにデータ再送タイミングを送信する手段とを備えている。
【００１２】
本発明による移動端末は、受信データに誤りを検出した時に無線基地局から当該データの再送が行われる移動端末であって、
前記誤りを検出した時に送信する否定応答に当該誤りを検出したデータを受信しているセルの識別情報を含ませている。
【００１３】
本発明による無線基地局は、移動端末が受信データに誤りを検出した時に当該データの再送を行う無線基地局であって、
前記移動端末が前記誤りを検出した時に送信しかつ当該データを受信しているセルの識別情報を含む否定応答の受信時に前記セルの識別情報を利用して前記データの再送を実施するセルを判断する手段と、前記無線基地局をまたがる複数のセルにおいてデータを受信している場合に自局の制御を行う無線制御装置に前記移動端末が前記誤りを検出したデータを特定するためのデータ番号と前記セルの識別情報とを含む否定応答を送信する手段とを備え、
前記否定応答の送信後に前記無線制御装置から送られてくる前記データの再送が必要なセルを管理する無線基地局に対するデータ再送要求とデータ再送タイミングとに基づいて前記データの再送を行っている。
【００１４】
本発明による無線制御装置は、移動端末が受信データに誤りを検出した時に当該データの再送を行う無線基地局を制御する無線制御装置であって、
前記移動端末が前記無線基地局をまたがる複数のセルにおいてデータを受信している場合に前記無線基地局から送信されかつ前記移動端末が前記誤りを検出したデータを特定するためのデータ番号と前記セルの識別情報とを含む否定応答の受信時に前記否定応答に含まれるセルの識別情報を利用して前記データの再送を実施するセルを判断する手段と、前記データの再送が必要なセルを管理する無線基地局に対してデータ再送要求とともにデータ再送タイミングを送信する手段とを備えている。
【００１５】
本発明による再送制御方法は、移動端末が受信データに誤りを検出した時に無線基地局から当該データの再送を行う移動通信システムに用いる再送制御方法であって、
前記移動端末が前記誤りを検出した時に送信する否定応答に当該誤りを検出したデータを受信しているセルの識別情報を含ませている。
【００１６】
本発明による他の再送制御方法は、移動端末が受信データに誤りを検出した時に当該データの再送を行う無線基地局と、前記無線基地局の制御を行う無線制御装置とを含む移動通信システムに用いる再送制御方法であって、
前記無線基地局が、前記移動端末が前記誤りを検出した時に送信しかつ当該データを受信しているセルの識別情報を含む否定応答の受信時に前記セルの識別情報を利用して前記データの再送を実施するセルを判断する処理と、前記無線基地局をまたがる複数のセルにおいてデータを受信している場合に前記無線制御装置に前記移動端末が前記誤りを検出したデータを特定するためのデータ番号と前記セルの識別情報とを含む否定応答を送信する処理とを実行し、
前記無線制御装置が、前記否定応答に含まれるセルの識別情報を利用して前記データの再送を実施するセルを判断する処理と、前記データの再送が必要なセルを管理する無線基地局に対してデータ再送要求とともにデータ再送タイミングを送信する処理とを実行している。
【００１７】
本発明による再送制御方法のプログラムは、移動端末が受信データに誤りを検出した時に当該データの再送を行う無線基地局と、前記無線基地局の制御を行う無線制御装置とを含む移動通信システムに用いる再送制御方法のプログラムであって、前記無線基地局のコンピュータに、前記移動端末が前記誤りを検出した時に送信しかつ当該データを受信しているセルの識別情報を含む否定応答の受信時に前記セルの識別情報を利用して前記データの再送を実施するセルを判断する処理と、前記無線基地局をまたがる複数のセルにおいてデータを受信している場合に前記無線制御装置に前記移動端末が前記誤りを検出したデータを特定するためのデータ番号と前記セルの識別情報とを含む否定応答を送信する処理とを実行させ、前記否定応答の送信後に前記無線制御装置から送られてくる前記データの再送が必要なセルを管理する無線基地局に対するデータ再送要求とデータ再送タイミングとに基づいて前記データの再送を行わせている。
【００１８】
すなわち、本発明の移動通信システムは、セルラ移動通信システムにおいて放送チャネル、すなわちブロードキャストもしくはマルチキャストを用いた多数のユーザに対するサービス配信時に、無線基地局における再送制御にて、データ再送を実施するセルを選択可能とすることと、再送タイミングを調整可能とすることとを特徴としている。
【００１９】
より具体的に説明すると、本発明の移動通信システムでは、移動端末がブロードキャストもしくはマルチキャストによって送信されるデータを受信し、受信データに誤りを検出した時、無線基地局に対して否定応答を送信する。この時、その否定応答には移動端末がデータを受信しているセルの識別情報を含ませる。
【００２０】
無線基地局は移動端末からの否定応答に含まれるセルの識別情報を利用し、データ再送を実施するセルを判断する。移動端末が無線基地局配下のセルにおいてのみデータを受信している場合には無線基地局においてデータ再送を行い、無線基地局をまたがる複数のセルにおいてデータを受信している場合には無線制御装置に否定応答を送信する。否定応答にはデータ番号とセル識別情報とが含まれている。
【００２１】
否定応答を受信した無線制御装置は、データ再送が必要なセルを管理する無線基地局に対し、データ再送要求とともにデータ再送タイミングを送信する。無線制御装置からのデータ再送要求を受信した各無線基地局は、指定されたデータを指定されたタイミングで再送する。
【００２２】
上記のように、本発明の移動通信システムでは、移動端末が、受信データに誤りを検出した時に送信する否定応答に、データを受信しているセルの識別情報を含ませ、無線基地局が、移動端末からの否定応答に含まれるデータを受信しているセルの識別情報を利用し、データ再送を実施するセルを決定し、必要に応じて移動端末からの否定応答を無線制御装置に送信する。これによって、本発明の移動通信システムでは、無駄なデータ再送を抑制している。
【００２３】
また、本発明の移動通信システムでは、無線基地局から否定応答を受信した無線制御装置が、関係する無線基地局に対し、データ再送要求とともにデータ再送タイミングを送信することで、複数の無線基地局間で同期を保ったデータ再送を実現している。よって、本発明の移動通信システムでは、受信データ品質の劣化を防ぐＳｅｌｅｃｔｉｖｅ  ｃｏｍｂｉｎｇやＳｏｆｔ  ｃｏｍｂｉｎｉｎｇと再送制御との両立を可能にし、ブロードキャスト及びマルチキャストによるサービス提供時の誤り耐性を強化することが可能となる。
【００２４】
本発明の移動通信システムでは、移動端末が否定応答を送信する時に、移動端末がデータを受信しているセルの識別情報を含ませることで、無線ネットワークにおいて移動端末のおおよその現在位置とデータ受信状況とを知ることが可能となる。よって、本発明の移動通信システムでは、無線基地局がセル単位もしくはセルグループ単位、あるいは関係するいくつかのセルに対するデータ再送が選択可能となるので、無駄なデータ再送を減少させることが可能となる。
【００２５】
また、本発明の移動通信システムでは、移動端末から否定応答を受信した無線基地局が、必要に応じて否定応答を無線制御装置に送信し、無線制御装置が関係するセルを管理する無線基地局にデータ再送要求とともにデータ再送タイミングを送信することによって、複数のセルにおいて同期の取れたデータ再送を行うことで、誤り耐性を強化することが可能となる。
【発明の効果】
【００２６】
本発明は、以下に述べるような構成及び動作とすることで、無駄なデータ再送を減少させることができるという効果が得られる。
【発明を実施するための最良の形態】
【００２７】
次に、本発明の実施例について図面を参照して説明する。図１は本発明の一実施例による移動通信システムの無線ネットワーク構成を示すブロック図である。図１において、本発明の一実施例による移動通信システムは移動端末１−１〜１−３と、無線基地局２−１〜２−３と、無線制御装置３とから構成されている。
【００２８】
移動端末１−１〜１−３はデータを送受信する機能と、複数のセルにおいて送信されるデータを同時に受信し、受信したデータの選択、合成、誤り訂正の処理を行う機能とを有している。また、移動端末１−１〜１−３は無線基地局２−１〜２−３から共通チャネルによって送信されるデータを受信し、無線基地局２−１〜２−３に対して否定応答を送信する機能と、否定応答にデータを受信しているセルの識別情報（例えば、セルＩＤ）を含ませる機能とを有している。さらに、移動端末１−１〜１−３は要求していないデータを２重に受信する場合があり、２重に受信した場合に後発のデータを廃棄する機能と、否定応答送信後に不完全データを一定時間保持し、その後に廃棄する機能とを有している。
【００２９】
無線基地局２−１〜２−３はデータを送受信する機能と、移動端末１−１〜１−３から送信された否定応答を解析し、無線基地局３でデータ再送を実施するか、上位装置である無線制御装置３に否定応答を送信するかを判断する機能と、再送制御を実施する機能とを有している。また、無線基地局２−１〜２−３は再送制御を行うために、一定期間送信済みデータを保存するためのバッファを有している。また、無線基地局２−１〜２−３は送信済みデータを一定時間後に消去する機能も有している。さらに、無線基地局２−１〜２−３は再送制御に使用されるシーケンス番号とデータ番号との対応表を管理する機能を有している。
【００３０】
無線制御装置３は移動端末１−１〜１−３からの否定応答を解析し、否定応答に含まれる移動端末１−１〜１−３がデータを受信しているセルの識別情報から、データ再送が必要な無線基地局２−１〜２−３を判断し、該当する無線基地局２−１〜２−３に対してデータ再送要求とともにデータ送信タイミングを指示する機能を有している。
【００３１】
図１に示す移動端末１−１〜１−３、無線基地局２−１〜２−３、無線制御装置３各々は上述した機能以外にも多数の機能を備えているが、それらの機能は同業者によってよく知られており、また本発明とは直接関係しないので、その詳細な機能についての説明は省略する。
【００３２】
図２は本発明の一実施例による無線基地局の構成例を示すブロック図である。図２において、無線基地局２はＣＰＵ（中央処理装置）２１と、ＣＰＵ２１が実行する制御プログラム２２ａを記憶するメインメモリ２２と、送信済みデータを一時保持する送信済みデータバッファ２３１及びシーケンス番号とデータ番号との対応を保持するシーケンス番号・データ番号対応表２３２を備えた記憶装置２３と、無線制御装置３側との通信を制御する無線制御装置側通信制御部２４と、移動端末１−１〜１−３との通信を制御する無線通信制御部２５と、アンテナ２６とから構成されている。
【００３３】
この無線基地局２においては、ＣＰＵ２１と、メインメモリ２２と、記憶装置２３と、無線制御装置側通信制御部２４と、無線通信制御部２５とがそれぞれ内部バス２１０にて相互に接続されている。尚、図１に示す無線基地局２−１〜２−３はこの図２に示す無線基地局２と同様の構成となっており、上述した無線基地局２−１〜２−３の各機能はＣＰＵ２１が制御プログラム２２ａを実行することで実現される。
【００３４】
図３は本発明の一実施例による無線制御装置の構成例を示すブロック図である。図３において、無線制御装置３はＣＰＵ３１と、ＣＰＵ３１が実行する制御プログラム３２ａを記憶するメインメモリ３２と、上記のデータ番号を含む再送情報を保持する再送情報保持部３３１及び移動端末１−１〜１−３の位置情報を含む移動端末情報を保持する移動端末情報保持部３３２を備えた記憶装置３３と、無線基地局２−１〜２−３側との通信を制御する基地局側通信制御部３４と、図示せぬ交換局側との通信を制御する交換局側通信制御部３５とから構成されている。
【００３５】
この無線制御装置３においては、ＣＰＵ３１と、メインメモリ３２と、記憶装置３３と、基地局側通信制御部３４と、交換局側通信制御部３５とがそれぞれ内部バス３１０にて相互に接続されている。尚、図１に示す無線制御装置３はこの図３に示す構成と同様の構成となっており、上述した無線制御装置３の各機能はＣＰＵ３１が制御プログラム３２ａを実行することで実現される。
【００３６】
図４は本発明の一実施例による移動通信システムにおけるデータの再送動作を示す図であり、図５は本発明の一実施例による移動通信システムにおけるデータの再送動作を示すシーケンスチャートである。これら図１〜図５を参照して本発明の一実施例による移動通信システムにおけるデータの再送動作について説明する。
【００３７】
尚、図４においては、移動端末１−１が２つの無線基地局２−１，２−２から送信される同一データを、２つのセル３０１，３０２において同時に受信する様子を示している。また、図５においては、移動端末１−１が無線基地局２−１，２−２をまたがる複数のセルにおいてデータを受信している場合のデータ再送手順を示している。
【００３８】
移動端末１−１はブロードキャストもしくはマルチキャストによって送信されるデータを受信し、受信データに誤りを検出した時（図５のａ１）、無線基地局２−１に対して否定応答を送信する（図５のａ２）。この時、否定応答には移動端末１−１がデータを受信しているセルの識別情報を含ませる。
【００３９】
無線基地局２−１は移動端末１−１からの否定応答に含まれるセルの識別情報を利用してデータ再送を実施するセルを判断する（図５のａ３）。移動端末１−１が無線基地局２−１配下のセルにおいてのみデータを受信している場合には無線基地局２−１においてデータ再送を行い、無線基地局２−１をまたがる複数のセルにおいてデータを受信している場合には無線制御装置３に否定応答を送信する（図５のａ４）。否定応答にはデータ番号とセルの識別情報とが含まれている。
【００４０】
否定応答を受信した無線制御装置３は無線基地局２−１からの否定応答に含まれるセルの識別情報を利用してデータ再送を実施するセルを判断する（図５のａ５）。無線制御装置３はそのデータ再送が必要なセルを管理する無線基地局２−１，２−２に対し、データ再送要求とともにデータ再送タイミングを送信する（図５のａ６，ａ７）。無線制御装置３からのデータ再送要求を受信した各無線基地局２−１，２−２は指定されたデータを指定されたタイミングで再送する（図５のａ８，ａ９）。
【００４１】
このように、本実施例では、移動端末１−１が受信データに誤りを検出した時に送信する否定応答にデータを受信しているセルの識別情報を含ませ、無線基地局２−１が移動端末１−１からの否定応答に含まれるデータを受信しているセルの識別情報を利用し、データ再送を実施するセルを決定し、必要に応じて移動端末１−１からの否定応答を無線制御装置３に送信する。これによって、本実施例では、無駄なデータ再送を抑制することができる。
【００４２】
また、本実施例では、無線基地局２−１から否定応答を受信した無線制御装置３が関係する無線基地局２−１，２−２に対し、データ再送要求とともにデータ再送タイミングを送信することで、複数の無線基地局２−１，２−２間で同期を保ったデータ再送を実現することができる。
【００４３】
したがって、本実施例では、受信データ品質の劣化を防ぐＳｅｌｅｃｔｉｖｅ  ｃｏｍｂｉｎｇやＳｏｆｔ  ｃｏｍｂｉｎｉｎｇを利用した再送制御を実現することができ、ブロードキャスト及びマルチキャストによるサービス提供時の誤り耐性を強化することができる。
【００４４】
図６は本発明の一実施例によるセルグループを示す図である。図６においては、複数のセル３００がグループ化されたセルグループ４００を示している。図６中のＮＢは無線基地局２を表し、無線制御装置３の制御によってセル３００に対してデータの送受信を行う。Ｓｅｌｅｃｔｉｖｅ  ｃｏｍｂｉｎｇやＳｏｆｔ  ｃｏｍｂｉｎｉｎｇでは、セルグループ４００において同時に同一データが送信される。尚、図６では図示していないが、移動端末を１とする。
【００４５】
ブロードキャストやマルチキャストサービスにおいては、無線ネットワークが多数のセル３００に対してサービス提供を行い、各セル３００では共通チャネルを使用してデータ送信を行う。ここで、無線制御装置３ではブロードキャスト及びマルチキャストデータにデータ番号を付加して送信する。
【００４６】
移動端末１は受信データに誤りを検出した時、否定応答とともに移動端末１がデータを受信しているセル３００の識別情報を、移動端末１が現在位置している無線基地局２に送信する。
【００４７】
否定応答を受信した無線基地局２は否定応答の確認を行い、移動端末１が無線基地局２をまたがる複数のセル３００からのデータを受信している場合、否定応答を無線制御装置３へ送信する。ここで、否定応答には、再送が必要なデータのデータ番号と移動端末１がデータを受信しているセル３００の識別情報とが含まれる。それ以外の場合、無線基地局２は単独でデータ再送を行う。
【００４８】
無線基地局２から否定応答を受信した無線制御装置３は否定応答の確認を行い、移動端末１がデータを受信しているセル３００を管理している無線基地局２に対し、データ再送要求とともにデータ番号及びデータ再送タイミングを送信する。例えば、ここでの再送タイミングとしては、無線基地局２での送信フレーム番号、またはＧＰＳ（Ｇｌｏｂａｌ  Ｐｏｓｉｔｉｏｎｉｎｇ  Ｓｙｓｔｅｍ）等の方法を使用して無線基地局２間の同期が取られているシステムの場合、送信時刻等も考えられる。
【００４９】
無線制御装置３からのデータ再送要求を受信した無線基地局２は指定されたデータ番号から再送が要求されているデータを確認し、指定されたタイミングで移動端末１へのデータ再送を行う。
【００５０】
図７（ａ）〜（ｃ）は本発明の一実施例におけるデータ番号とシーケンス番号との対応付けを示す図である。図７（ａ）は移動端末１に保持されるシーケンス番号（「６１」，「６２」，「６３」，「６４」，「６５」，「６６」，「６７」）を示し、図７（ｂ）は無線基地局２に保持されるシーケンス番号（「６１」，「６２」，「６３」，「６４」，「６５」，「６６」，「６７」）とデータ番号（「１」，「２」，「３」，「４」，「５」，「６」，「７」）との対応表を示し、図７（ｃ）は無線制御装置３に保持されるデータ番号（「１」，「２」，「３」，「４」，「５」，「６」，「７」）を示している。
【００５１】
無線制御装置３と配下の無線基地局２との間では、共通のデータ番号を使用する。移動端末１と無線基地局２とにおいては再送制御を実施するため、データ番号とは異なる識別子として、シーケンス番号を使用している。無線基地局２ではデータ番号とシーケンス番号との対応表を管理する［図７（ｂ）参照］。無線基地局２はこの対応表を利用することによって、受信した否定応答に対応するデータ番号を確認し、セル識別情報とともに無線制御装置３に送信する。
【００５２】
図８は本発明の一実施例による無線基地局の動作を示すフローチャートである。以下、図８を参照して無線基地局が移動端末から否定応答を受信した場合の動作について説明する。尚、以下の説明では、移動端末を１とし、無線基地局を２とし、無線制御装置を３とする。また、図８に示す処理は無線基地局２のＣＰＵ２１が制御プログラム２２ａを実行することで実現される。
【００５３】
無線基地局２はある移動端末１から否定応答を受信した時（図８ステップＳ１）、否定応答の内容を確認する（図８ステップＳ２）。無線基地局２はある無線基地局配下のセルでのみデータを受信している移動端末からの否定応答であった場合、移動端末１へのデータ再送を実施する（図８ステップＳ３）。
【００５４】
また、無線基地局２は移動端末１が無線基地局をまたがる複数のセルからのデータを受信している移動端末であった場合、再送が必要なデータのデータ番号及びセル識別情報を否定応答に含ませて無線制御装置３へ送信する（図８ステップＳ４）。
【００５５】
その否定応答を受信した無線制御装置３は移動端末１がデータを受信しているセルを管理している無線基地局１に対し、否定応答の対象になっているデータの再送要求を送信する。このとき、データ番号とデータ再送のタイミングとを通知する。無線制御装置３からデータ再送要求を受信した無線基地局２はセルに対して指定されたデータを指定されたタイミングで再送する（図８ステップＳ５）。これによって、移動端末１は複数のセルにおいて同時に送信される同一再送データを受信する。
【００５６】
このように、本実施例では、移動端末１が否定応答を送信する時に、移動端末１がデータを受信しているセル３００の識別情報を含ませることで、無線ネットワークにおいて、移動端末１のおおよその現在位置とデータ受信状況とを知ることができ、無線基地局２がセル単位もしくはセルグループ単位、あるいは関係するいくつかのセル３００に対するデータ再送を選択することができるようにすることで、無駄なデータ再送を減少させることができる。
【００５７】
また、本実施例では、移動端末１から否定応答を受信した無線基地局２が必要に応じて否定応答を無線制御装置３に送信し、無線制御装置３が関係するセル３００を管理する無線基地局２にデータ再送要求とともにデータ再送タイミングを送信することによって、複数のセル３００において同期の取れたデータ再送を行うことで、誤り耐性を強化することができる。
【００５８】
尚、本発明はＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）等の符号分割多重方式を利用したシステムに適用することができる。以下、第３世代移動通信システムにおける例について、図６を参照して説明する。
【００５９】
移動通信システムにおいてブロードキャスト及びマルチキャストサービスを実施する方法としてＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）がある。ＭＢＭＳでは複数のユーザに対してデータ配信を行うＰ−ｔ−Ｍ（Ｐｏｉｎｔ  ｔｏ  Ｍｕｌｔｉｐｏｉｎｔ）と、個別にデータ配信を行うＰ−ｔ−Ｐ（Ｐｏｉｎｔ−ｔｏ−Ｐｏｉｎｔ）とを使用する。
【００６０】
ＭＢＭＳのＰ−ｔ−Ｍリンクによるサービス提供時には、セル端に存在する移動端末に対してデータ品質を保証するため、Ｓｅｌｅｃｔｉｖｅ  ｃｏｍｂｉｎｉｎｇやＳｏｆｔ  ｃｏｍｂｉｎｉｎｇを使用する。これらの技術を使用する場合、複数のセル３００をまとめてセルグループ４００とする。そして、そのセルグループ４００において、すべてのセル３００が同時に同一データの送信を行うことによって、セル端に存在する移動端末は他のセル３００で送信されるデータも受信することができ、受信データの選択、合成、及び誤り訂正の処理を行うことで、データ品質を向上させることができる。
【００６１】
以下、Ｓｅｌｅｃｔｉｖｅ  ｃｏｍｂｉｎｇやＳｏｆｔ  ｃｏｍｂｉｎｉｎｇの技術を適用する場合の無線基地局２における再送制御の例について説明する。ＭＢＭＳを用いたブロードキャストもしくはマルチキャストによって提供されるサービスを受信する移動端末は、受信したデータについてデータ誤りを検出した場合、無線基地局２に対して否定応答を送信する。
【００６２】
セル端に存在し、複数のセル３００からデータを受信し、それらのデータの選択、合成、誤り訂正処理をすることでサービスを受信している移動端末は、現在位置しているセル３００に対して否定応答を送信する。移動端末はこの否定応答に現在データを受信しているすべてのセル３００のセルＩＤを含ませる。否定応答の送信に使用する共通チャネルとして、例えば共通チャネルであるＲＡＣＨ（Ｒａｎｄｏｍ  Ａｃｃｅｓｓ  Ｃｈａｎｎｅｌ）が考えられる。
【００６３】
無線基地局２は移動端末からの否定応答を受信した時、移動端末がデータを受信しているセル３００のセルＩＤを確認し、ある無線基地局配下のセル３００でのみデータを受信している移動端末であった場合、その無線基地局のみでデータ再送を行う。
【００６４】
移動端末が無線基地局２をまたがる複数のセル３００からのデータを受信している場合、無線基地局２は否定応答を無線制御装置３に送信する。この否定応答には、データ番号とセルＩＤとが含まれる。否定応答を受信した無線制御装置３はこの移動端末がデータを受信しているセル３００を管理する無線基地局に対し、否定応答の対象となるデータの再送要求を送信する。この時、対象セル３００において同時にデータ再送が実施されるよう、各無線基地局に対してデータ再送のタイミングを表すＢＦＮ（Ｎｏｄｅ−Ｂ  Ｆｒａｍｅ  Ｎｕｍｂｅｒ）を通知する。データ再送要求を受信した無線基地局は指定されたデータ再送タイミングにしたがって、指定されたデータの再送を行う。
【００６５】
また、再送制御を無線基地局２において実施する方法として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）に使用されるＭＡＣ（Ｍｅｄｉｕｍ  Ａｃｃｅｓｓ  Ｃｏｎｔｒｏｌ）−ｈｓの機能を利用することも考えられる。
【００６６】
無線基地局２と無線制御装置３とで使用するデータ番号としては、上記のＢＦＮを使用することも考えられる。この場合、ＢＦＮの値は各無線基地局２によって異なるため、各無線基地局２におけるデータ送信タイミングが揃うよう、無線制御装置３においてＢＦＮの計算を行った後に通知する必要がある。
【図面の簡単な説明】
【００６７】
【図１】本発明の一実施例による移動通信システムの無線ネットワーク構成を示すブロック図である。
【図２】本発明の一実施例による無線基地局の構成例を示すブロック図である。
【図３】本発明の一実施例による無線制御装置の構成例を示すブロック図である。
【図４】本発明の一実施例による移動通信システムにおけるデータの再送動作を示す図である。
【図５】本発明の一実施例による移動通信システムにおけるデータの再送動作を示すシーケンスチャートである。
【図６】本発明の一実施例によるセルグループを示す図である。
【図７】（ａ）〜（ｃ）は本発明の一実施例におけるデータ番号とシーケンス番号との対応付けを示す図である。
【図８】本発明の一実施例による無線基地局の動作を示すフローチャートである。
【符号の説明】
【００６８】
１，１−１〜１−３  移動端末
２，２−１〜２−３  無線基地局
３  無線制御装置
２１，３１  ＣＰＵ
２２，３２  メインメモリ
２２ａ，３２ａ  制御プログラム
２３，３３  記憶装置
２４  無線制御装置側通信制御部
２５  無線通信制御部
２６  アンテナ
３４  基地局側通信制御部
３５  交換局側通信制御部
２１０，３１０  内部バス
２３１  送信済みデータバッファ
２３２  シーケンス番号・データ番号対応表
３００  セル
３３１  再送情報保持部
３３２  移動端末情報保持部
４００  セルグループ
【図１】
2006245839.tif 000003
【図２】
2006245839.tif 000004
【図３】
2006245839.tif 000005
【図４】
2006245839.tif 000006
【図５】
2006245839.tif 000007
【図６】
2006245839.tif 000008
【図７】
2006245839.tif 000009
【図８】
2006245839.tif 000010